(57)【特許請求の範囲】
【請求項１】
高画質化方式に対応した主映像情報と、高画質化方式に対応し前記主映像情報に重畳して表示可能である第１の副映像情報と、標準方式に対応し前記主映像情報を標準方式にダウンコンバートした映像情報に重畳して表示可能である第２の副映像情報とが記録されることを特徴とする情報記憶媒体。
【請求項２】
高画質化方式に対応した主映像情報と、高画質化方式に対応した第１の副映像情報と、標準方式に対応した第２の副映像情報とが記録されるもので、前記第１及び第２の副映像情報が、再生の最小単位を構成する情報内に、選択可能な異なるパックとして含まれることを特徴とする情報記憶媒体。
【請求項３】
高画質化方式に対応した主映像情報と、高画質化方式に対応した第１の副映像情報と、標準方式に対応した第２の副映像情報とが記録されるもので、前記第１及び第２の副映像情報が、ＤＶＤビデオディスクにおける再生の最小単位を構成するビデオ・オブジェクト・ユニット内に、選択可能な異なる副映像パックとして含まれることを特徴とする情報記憶媒体。
【請求項４】
高画質化方式に対応した主映像情報と、高画質化方式に対応した第１の副映像情報と、標準方式に対応した第２の副映像情報とが記録された情報記憶媒体から、記録されている各情報を読み取る読み取り手段と、
この読み取り手段で読み取られた前記主映像情報を、前記標準方式の映像情報にダウンコンバートする変換手段と、
この変換手段で変換された映像情報に、前記読み取り手段で読み取られた前記第２の副映像情報を重畳する加算手段とを具備してなることを特徴とする情報記憶媒体の再生装置。
【請求項５】
前記変換手段は、ＨＤＴＶ方式の映像情報をＳＤＴＶ方式の映像情報にダウンコンバートすることを特徴とする請求項４記載の情報記憶媒体の再生装置。
【請求項６】
高画質化方式に対応した主映像情報と、高画質化方式に対応した第１の副映像情報と、標準方式に対応した第２の副映像情報とが記録された情報記憶媒体から、記録されている各情報を読み取る読み取り手段と、
この読み取り手段で読み取られた前記主映像情報をそのまま出力する第１の状態と、前記読み取り手段で読み取られた前記主映像情報を、前記標準方式の映像情報にダウンコンバートして出力する第２の状態とに、選択的に切り替え可能な変換手段と、
この変換手段が前記第１の状態に切り替えられているとき、該変換手段から出力される映像情報に、前記読み取り手段で読み取られた前記第１の副映像情報を重畳し、前記変換手段が前記第２の状態に切り替えられているとき、該変換手段から出力される映像情報に、前記読み取り手段で読み取られた前記第２の副映像情報を重畳する制御手段とを具備してなることを特徴とする情報記憶媒体の再生装置。
【請求項７】
前記変換手段は、ＨＤＴＶ方式の映像情報をＳＤＴＶ方式の映像情報にダウンコンバートすることを特徴とする請求項６記載の情報記憶媒体の再生装置。
【発明の詳細な説明】
【０００１】
【発明の属する技術分野】
この発明は、高画質方式の主映像情報とその副映像情報とが記録された情報記憶媒体に関する。また、この発明は、上記の情報記憶媒体を再生して標準方式の映像表示装置に映像表示させる再生装置に関する。
【０００２】
【従来の技術】
周知のように、近年では、ＳＤＴＶ（Standard Television）方式の映像コンテンツを記録したＤＶＤ（Digital Versatile Disk）ビデオディスクが市場に普及している。また、このＤＶＤビデオディスクを再生するために、ＤＶＤビデオディスクプレーヤ及び映像表示装置等も出現している。
【０００３】
一方、現在では、さらなる高画質化を実現するために、ＤＶＤビデオディスクにＨＤＴＶ（High Definition Television）方式の映像コンテンツを記録することが、強く要求されている。また、この要求に応えて、ＨＤＴＶ方式対応のＤＶＤビデオディスクプレーヤ及び映像表示装置等の開発が盛んに行なわれている。
【０００４】
しかしながら、現状において、ＨＤＴＶ方式対応のＤＶＤビデオディスクプレーヤ及び映像表示装置の普及率はまだ低いため、ＨＤＴＶ方式対応の映像コンテンツが記録されたＤＶＤビデオディスクを、ＳＤＴＶ方式対応のＤＶＤビデオディスクプレーヤ及び映像表示装置でも再生する必要が生じる。
【０００５】
この場合、ＳＤＴＶ方式対応のＤＶＤビデオディスクプレーヤ及び映像表示装置では、ＤＶＤビデオディスクから読み取ったＨＤＴＶ方式対応の映像コンテンツを、ＳＤＴＶ方式の表示解像度に合致するように、ダウンコンバートする必要が生じる。
【０００６】
ところで、ＤＶＤビデオディスクに記録される映像コンテンツとしては、主映像情報と、この主映像情報に重ね合わせて表示される解説や字幕等の副映像情報とがある。そして、主映像情報をダウンコンバートすると、副映像情報の一部も欠落してしまい不鮮明で見ずらくなるという問題が生じる。
【０００７】
ここで、例えば特開平４−８３４９３号公報には、ハイビジョン方式の映像信号を、現行のＮＴＳＣ（National Television System Committee）方式にダウンコンバートして表示する際に、画面のブランク部分に文字や図形情報を重畳して表示させる構成が開示されている。
【０００８】
しかしながら、この公開公報に記載されている変換器は、ハイビジョン方式の映像信号をダウンコンバートして表示する際に、デジタル時計、ＯＮ／ＯＦＦタイマー、選局チャンネル及び年月日等の内部情報を、画面のブランク部分にオンスクリーン表示するようにしているだけのものである。
【０００９】
すなわち、この公開公報には、主映像情報と副映像情報とが収録されるＤＶＤビデオディスクの再生時において、ＨＤＴＶ方式対応の主映像情報をＳＤＴＶ方式にダウンコンバートした際に、副映像情報が欠落して不鮮明な表示となることを解決することについては、何らの記載もなされていないものである。
【００１０】
【発明が解決しようとする課題】
そこで、この発明は上記事情を考慮してなされたもので、高画質方式対応の主映像情報を標準方式にダウンコンバートして表示させる際に、副映像情報を欠落なく鮮明に表示することを可能とした情報記憶媒体及びその再生装置を提供することを目的とする。
【００１１】
【課題を解決するための手段】
この発明に係る情報記憶媒体は、高画質化方式に対応した主映像情報と、高画質化方式に対応し主映像情報に重畳して表示可能である第１の副映像情報と、標準方式に対応し主映像情報を標準方式にダウンコンバートした映像情報に重畳して表示可能である第２の副映像情報とが記録されているものである。
【００１２】
また、この発明に係る情報記憶媒体の再生装置は、高画質化方式に対応した主映像情報、高画質化方式に対応した第１の副映像情報、標準方式に対応した第２の副映像情報が記録された情報記憶媒体から、記録されている各情報を読み取る読み取り手段と、この読み取り手段で読み取られた主映像情報を、標準方式の映像情報にダウンコンバートする変換手段と、この変換手段で変換された映像情報に、読み取り手段で読み取られた第２の副映像情報を重畳する加算手段とを備えるようにしたものである。
【００１３】
上記のような構成によれば、情報記憶媒体に、高画質化方式に対応した主映像情報と、高画質化方式に対応した第１の副映像情報と、標準方式に対応した第２の副映像情報とを記録しておき、情報記憶媒体から再生した主映像情報を標準方式の映像情報にダウンコンバートして映像表示させる際には、そのダウンコンバートした映像情報に情報記憶媒体から再生した第２の副映像情報を重畳するようにしている。このため、主映像情報をダウンコンバートして標準方式対応の映像表示装置に映像表示させた際、標準方式の第２の副映像情報が映像表示されるようになるので、副映像情報を欠落なく鮮明に表示することが可能となる。
【００１４】
【発明の実施の形態】
以下、この発明の実施の形態について、図面を参照して詳細に説明する。図１（ａ）は、この実施の形態で説明するディスク形状の情報記憶媒体１の外観を示している。
【００１５】
この情報記憶媒体１は、図１（ｂ）に示すように、その内周側から、リードイン領域１０、ボリューム／ファイル構造情報領域１１、データ領域１２及びリードアウト領域１３を有している。
【００１６】
このうち、データ領域１２は、図１（ｃ）に示すように、一般コンピュータ情報記録領域２０、ビデオ・データ記録領域２１及び他のデータ記録領域２２から構成されている。
【００１７】
そして、ビデオ・データ記録領域２１は、図１（ｄ）に示すように、情報記憶媒体１に記録された全情報を管理するビデオ管理情報記録領域３０と、タイトル毎に情報を管理する１つ以上のビデオ・タイトル・セット＃ｎ記録領域１００とを有している。
【００１８】
また、ビデオ管理情報記録領域３０は、図１（ｅ）に示すように、制御データ（HD＿VMG．IFOファイル）領域３１、メニュー用ビデオ・オブジェクト（HD＿VMGM．VOBファイル）領域３２及び制御データバックアップ（HD＿VMG．BUPファイル）領域３３から構成されている。
【００１９】
さらに、上記ビデオ・タイトル・セット＃ｎ記録領域１００は、図１（ｆ）に示すように、制御データ（HD＿VTS．IFOファイル）領域１０１、メニュー用ビデオ・オブジェクト（HD＿VTSM．VOBファイル）領域１０２、タイトル用ビデオ・オブジェクト（HD＿VTS．VOBファイル）領域１０３及び制御データバックアップ（HD＿VTS．BUPファイル）領域１０４を有している。
【００２０】
ここで、図２（ａ）は、上記した各ビデオ・オブジェクト領域３２，１０２，１０３に、それぞれ１つ以上格納されるビデオ・オブジェクト（VOB）３００を示している。
【００２１】
このビデオ・オブジェクト３００は、図２（ｂ）に示すように、１つ以上のビデオ・オブジェクト・ユニット（VOBU）３０１から構成されている。ビデオ・オブジェクト・ユニット３０１は、再生の最小単位である。
【００２２】
このビデオ・オブジェクト・ユニット３０１は、図２（ｃ）に示すように、先頭の制御パック３０２と、複数の主映像パック３０３と、選択可能な第１及び第２の音声パック３０４ａ，３０４ｂと、選択可能な第１及び第２の副映像パック３０５ａ，３０５ｂとから構成されている。
【００２３】
そして、選択された第１または第２の音声パック３０４ａ，３０４ｂと、選択された第１または第２の副映像パック３０５ａ，３０５ｂとは、ビデオ・オブジェクト・ユニット３０１内で主映像パック３０３と同期再生される。
【００２４】
ここで、上記情報記憶媒体１には、図３に示すように、高画質方式としてのＨＤＴＶ方式対応のコンテンツである主映像ストリーム４００と、この主映像ストリーム４００に重畳して表示されるＨＤＴＶ方式対応の副映像ストリーム４０１ａと、主映像ストリーム４００に重畳して表示されるＳＤＴＶ方式対応の副映像ストリーム４０１ｂとが格納されている。
【００２５】
この場合、ＨＤＴＶ方式対応の副映像ストリーム４０１ａは、上記第１の副映像パック３０５ａとして格納される。また、ＳＤＴＶ方式対応の副映像ストリーム４０１ｂは、上記第２の副映像パック３０５ｂとして格納されている。
【００２６】
図４は、上記したディスク形状の情報記憶媒体１から、そこに格納されている情報を読み出して再生する再生装置を示している。すなわち、この情報記憶媒体１は、ディスクドライブ部２０１に装着されている。このディスクドライブ部２０１は、装着された情報記憶媒体１を回転駆動し、光ピックアップ２０１ａを用いて情報記憶媒体１に格納されている情報を読み取るものである。
【００２７】
このディスクドライブ部２０１で読み取られた情報は、データプロセッサ部２０２に供給され、エラー訂正処理が施された後、トラックバッファ２０２ａに格納される。そして、このトラックバッファ２０２ａに格納された情報のうち、上記制御データ領域３１，１０１の管理情報は、メモリ部２１０に記録され、再生制御やデータ管理等に利用される。
【００２８】
また、上記トラックバッファ２０２ａに格納された情報のうち、上記ビデオ・オブジェクト領域３２，１０２，１０３の情報は、分離部２０３に転送され、主映像パック３０３、音声パック３０４ａ，３０４ｂ及び副映像パック３０５ａ，３０５ｂ毎に分離される。
【００２９】
そして、主映像パック３０３の情報は映像デコーダ部２０４、音声パック３０４ａ，３０４ｂの情報は音声デコーダ部２０６、副映像パック３０５ａ，３０５ｂの情報は副映像デコーダ部２０５にそれぞれ供給され、デコード処理が行なわれる。
【００３０】
映像デコーダ部２０４でデコード処理された主映像情報と、副映像デコーダ部２０５でデコード処理された副映像情報とは、映像プロセッサ部２０７に供給されて重畳処理が施された後、Ｄ／Ａ（Digital／Analog）変換部２０８でアナログ化され、映像信号として図示しない映像表示装置（例えばＣＲＴ：Cathode Ray Tube等）に出力される。
【００３１】
また、音声デコーダ部２０６でデコード処理された音声情報は、Ｄ／Ａ変換部２０９でアナログ化され、音声信号として図示しない音声再生装置（例えばスピーカ等）に出力される。
【００３２】
上記のような情報記憶媒体１に対する一連の再生動作は、ＭＰＵ（Micro Processing Unit）部２１１によって統括的に制御されている。このＭＰＵ部２１１は、キー入力部２１９からの操作情報を受け、ＲＯＭ（Read Only Memory）部２２０に格納されたプログラムに基づいて、各部２０１〜２０６を制御している。
【００３３】
図５は、上記映像デコーダ部２０４、副映像デコーダ部２０５及び映像プロセッサ部２０７の詳細を示している。すなわち、分離部２０３で分離された主映像情報は映像デコーダ部２０４に供給され、分離部２０３で分離された副映像情報は副映像デコーダ部２０５に供給される。
【００３４】
映像デコーダ部２０４は、入力された主映像情報をビデオバッファ２０４ａに一旦格納する。そして、ビデオバッファ２０４ａから読み出した主映像情報に、ビデオデコーダ２０４ｂにより、ビデオデコーダバッファ２０４ｃを作業領域としてデコード処理を施している。
【００３５】
また、副映像デコーダ部２０５は、入力された副映像情報を副映像バッファ２０５ａに一旦格納する。そして、副映像バッファ２０５ａから読み出した副映像情報に、副映像デコーダ２０５ｂにより、副映像デコーダバッファ２０５ｃを作業領域としてデコード処理を施している。
【００３６】
そして、映像プロセッサ部２０７は、映像デコーダ部２０４から出力された主映像情報に対して、ダウンコンバート処理を施すことが要求されている場合、主映像情報はリ・オーダーバッファ２０７ｂを用いてスイッチ２０７ａにより適宜再生順に並べ替えられた後、ＨＤ／ＳＤダウンコンバータ２０７ｃに供給されて、ＨＤＴＶ方式から標準方式であるＳＤＴＶ方式にダウンコンバート処理される。
【００３７】
また、映像デコーダ部２０４から出力された主映像情報に対して、ダウンコンバート処理を施すことが要求されている場合、副映像デコーダ部２０５は、上記第２の副映像パック３０５ｂに格納されているＳＤＴＶ方式対応の副映像ストリーム４０１ｂをデコード処理するように制御される。
【００３８】
そして、ＨＤ／ＳＤダウンコンバータ２０７ｃでダウンコンバート処理された主映像情報と、副映像デコーダ部２０５でデコード処理されたＳＤＴＶ方式対応の副映像情報とが、加算器２０７ｄで重畳されて、上記Ｄ／Ａ変換部２０８に出力され、映像表示に供される。
【００３９】
これにより、ＨＤＴＶ方式対応の主映像情報をＳＤＴＶ方式にダウンコンバートした映像情報に、ＳＤＴＶ方式対応の副映像情報を重畳して、ＳＤＴＶ方式対応の映像表示装置で映像表示することができる。この場合、ＳＤＴＶ方式対応の副映像情報を、ＳＤＴＶ方式対応の映像表示装置で表示するわけであるから、副映像情報が欠落なく鮮明に表示されるようになる。
【００４０】
なお、映像プロセッサ部２０７は、映像デコーダ部２０４から出力された主映像情報に対して、ダウンコンバート処理を施すことが要求されていない場合、リ・オーダーバッファ２０７ｂを用いてスイッチ２０７ａにより適宜再生順に並べ替えられた後、ＨＤ／ＳＤダウンコンバータ２０７ｃを無処理状態、つまり、入力信号をそのまま出力する状態に制御する。
【００４１】
また、映像デコーダ部２０４から出力された主映像情報に対して、ダウンコンバート処理を施すことが要求されていない場合、副映像デコーダ部２０５は、上記第１の副映像パック３０５ａに格納されているＨＤＴＶ方式対応の副映像ストリーム４０１ａをデコード処理するように制御される。
【００４２】
これにより、映像デコーダ部２０４から出力された主映像情報と、副映像デコーダ部２０５でデコード処理されたＨＤＴＶ方式対応の副映像情報とが、加算器２０７ｄで重畳されて、上記Ｄ／Ａ変換部２０８に出力され、映像表示に供される。このため、ＨＤＴＶ方式対応の主映像情報に、ＨＤＴＶ方式対応の副映像情報を重畳して、ＨＤＴＶ方式対応の映像表示装置で映像表示することが可能となる。
【００４３】
図６は、上記のような主映像情報と副映像情報とを重畳表示する動作をまとめたフローチャートを示している。すなわち、開始されると、ＭＰＵ部２１１は、ステップＳ１で、この再生装置に接続されて、再生装置からの映像情報の出力先となっている映像表示装置の情報（ＴＶ接続情報）を取得する。
【００４４】
そして、この取得したＴＶ接続情報に基づいて、ＭＰＵ部２１１は、ステップＳ２で、接続されている映像表示装置がＨＤＴＶ方式対応であるか否かを判別する。ＨＤＴＶ方式対応であると判断された場合（ＹＥＳ）、ＭＰＵ部２１１は、ステップＳ３で、再生装置に予め設定されている初期設定情報、または、ユーザからキー入力部２１９を介して指定される設定情報を取得する。
【００４５】
その後、この取得した設定情報に基づいて、ＭＰＵ部２１１は、ステップＳ４で、ＳＤＴＶ方式での映像表示が指定されているか否かを判別する。そして、ＳＤＴＶ方式での映像表示が指定されていないと判断された場合（ＮＯ）、ＭＰＵ部２１１は、ステップＳ５で、映像デコーダ部２０４でデコード処理したＨＤＴＶ方式の主映像情報に、ダウンコンバート処理を施さないように映像プロセッサ部２０７を制御する。
【００４６】
また、ＭＰＵ部２１１は、ステップＳ６で、ＨＤＴＶ方式対応の副映像情報を分離部２０３に選択させ、この選択されたＨＤＴＶ方式対応の副映像情報を副映像デコーダ部２０５でデコード処理するように制御する。そして、ＭＰＵ部２１１は、ステップＳ７で、ＨＤＴＶ方式の主映像情報にＨＤＴＶ方式の副映像情報を重畳し、ＨＤＴＶ方式の映像表示装置に表示させて終了される。
【００４７】
一方、上記ステップＳ２で接続されている映像表示装置がＨＤＴＶ方式対応でないと判断された場合（ＮＯ）、または、上記ステップＳ４でＳＤＴＶ方式での映像表示が指定されていると判断された場合（ＹＥＳ）、ＭＰＵ部２１１は、ステップＳ８で、映像デコーダ部２０４でデコード処理したＨＤＴＶ方式の主映像情報にダウンコンバート処理を施すように映像プロセッサ部２０７を制御する。
【００４８】
また、ＭＰＵ部２１１は、ステップＳ９で、ＳＤＴＶ方式対応の副映像情報を分離部２０３に選択させ、この選択されたＳＤＴＶ方式対応の副映像情報を副映像デコーダ部２０５でデコード処理するように制御し、ステップＳ７の処理に移行される。
【００４９】
これにより、ステップＳ７では、ＳＤＴＶ方式にダウンコンバートされた主映像情報に、ＳＤＴＶ方式の副映像情報を重畳し、ＳＤＴＶ方式の映像表示装置に表示させることができる。
【００５０】
上記した実施の形態によれば、情報記憶媒体１に、ＨＤＴＶ方式の主映像情報と、ＨＤＴＶ方式の副映像情報と、ＳＤＴＶ方式の副映像情報とを記録するようにしている。
【００５１】
そして、再生装置にＨＤＴＶ方式対応の映像表示装置が接続されている場合には、情報記憶媒体１から再生したＨＤＴＶ方式の主映像情報に、情報記憶媒体１から再生したＨＤＴＶ方式の副映像情報を重畳して、ＨＤＴＶ方式対応の映像表示装置に映像表示させる。すなわち、ＨＤＴＶ方式の副映像情報を、ＨＤＴＶ方式対応の映像表示装置に映像表示させるので、副映像情報は欠落なく鮮明に表示される。
【００５２】
再生装置にＳＤＴＶ方式対応の映像表示装置が接続されている場合には、情報記憶媒体１から再生したＨＤＴＶ方式の主映像情報をＳＤＴＶ方式の映像情報にダウンコンバートし、そのダウンコンバートした映像情報に、情報記憶媒体１から再生したＳＤＴＶ方式の副映像情報を重畳して、ＳＤＴＶ方式対応の映像表示装置に映像表示させる。つまり、主映像情報のみをダウンコンバートし、ＳＤＴＶ方式対応の映像表示装置には、ＳＤＴＶ方式の副映像情報を映像表示させるので、副映像情報を欠落なく鮮明に表示することができる。
【００５３】
なお、この発明は上記した実施の形態に限定されるものではなく、この外その要旨を逸脱しない範囲で種々変形して実施することができる。
【００５４】
【発明の効果】
以上詳述したようにこの発明によれば、高画質方式対応の主映像情報を標準方式にダウンコンバートして表示させる際に、副映像情報を欠落なく鮮明に表示することを可能とした情報記憶媒体及びその再生装置を提供することができる。
【図面の簡単な説明】
【図１】この発明の実施の形態を示すもので、ディスク形状の情報記憶媒体におけるデータ構造を説明するために示す図。
【図２】同実施の形態におけるビデオ・オブジェクトのデータ構造を説明するために示す図。
【図３】同実施の形態における情報記憶媒体に記録された２種類の副映像ストリームを説明するために示す図。
【図４】同実施の形態における情報記憶媒体を再生する再生装置を説明するために示すブロック構成図。
【図５】同実施の形態における再生装置の要部の詳細を説明するために示すブロック構成図。
【図６】同実施の形態における主映像情報と副映像情報との再生動作を説明するために示すフローチャート。
【符号の説明】
１…情報記憶媒体、
２０１…ディスクドライブ部、
２０２…データプロセッサ部、
２０３…分離部、
２０４…映像デコーダ部、
２０５…副映像デコーダ部、
２０６…音声デコーダ部、
２０７…映像プロセッサ部、
２０８，２０９…Ｄ／Ａ変換部、
２１０…メモリ部、
２１１…ＭＰＵ部、
２１９…キー入力部、
２２０…ＲＯＭ部。
【図１】
0003689074.tif 000002
【図２】
0003689074.tif 000003
【図３】
0003689074.tif 000004
【図４】
0003689074.tif 000005
【図５】
0003689074.tif 000006
【図６】
0003689074.tif 000007